(57)【特許請求の範囲】
【請求項１】
電子機器であって、
第１カメラと、
第２カメラと、
前記第１カメラにおいて動画撮影中に、前記電子機器が所定場所に位置するか否かを判定する第１判定部と
を備え、
前記第２カメラは、前記第１カメラにおいて動画撮影中に、前記電子機器が前記所定場所に位置すると前記第１判定部が判定したとき、静止画を撮影する、電子機器。
【請求項２】
請求項１に記載の電子機器であって、
表示部を備え、
前記第２カメラは、前記第１カメラの動画撮影中において、前記第１カメラで撮影中の動画である撮影中動画が前記表示部に表示されているときに、前記電子機器が前記所定場所に位置すると前記第１判定部が判定したとき、静止画を撮影する、電子機器。
【請求項３】
請求項２に記載の電子機器であって、
前記表示部の表示画面に対する操作を検出する操作検出部を備え、
前記表示部は、前記撮影中動画を表示している場合に、前記操作検出部が第１所定操作を検出したとき、前記第２カメラで撮影されるスルー画像を表示し、
前記第２カメラは、前記撮影中動画及び前記スルー画像が前記表示部に表示されているときに、前記電子機器が前記所定場所に位置すると前記第１判定部が判定したとき、静止画を撮影する、電子機器。
【請求項４】
請求項３に記載の電子機器であって、
前記表示部が表示する前記スルー画像に対する第２所定操作を前記操作検出部が検出したとき、前記第２カメラは、当該第２カメラの撮影範囲をズームする、電子機器。
【請求項５】
請求項２に記載の電子機器であって、
前記表示部の表示画面に対する操作を検出する操作検出部を備え、
前記表示部は、前記第１カメラで撮影される第１スルー画像を表示している場合に、前記操作検出部が第１所定操作を検出したとき、前記第２カメラで撮影される第２スルー画像を表示する、電子機器。
【請求項６】
請求項５に記載の電子機器であって、
前記表示部は、前記第１スルー画像を表示している場合に、前記操作検出部が前記第１所定操作を検出したとき、前記第１及び第２スルー画像を表示する、電子機器。
【請求項７】
請求項５及び請求項６のいずれか一つに記載の電子機器であって、
前記表示部が表示する前記第２スルー画像に対する第２所定操作を前記操作検出部が検出したとき、前記第２カメラは、当該第２カメラの撮影範囲をズームする、電子機器。
【請求項８】
請求項１乃至請求項７のいずれか一つに記載の電子機器であって、
前記第１判定部は、前記第２カメラに所定対象物が映るか否かを判定し、
前記第２カメラは、前記第１カメラにおいて動画撮影中に、前記第２カメラに前記所定対象物が映ると前記第１判定部が判定したとき、静止画を撮影する、電子機器。
【請求項９】
請求項１乃至請求項８のいずれか一つに記載の電子機器であって、
前記第１カメラにおいて動画撮影中に、前記電子機器が前記所定場所に位置すると前記第１判定部が判定したとき、前記前記電子機器が前記所定場所に位置することをユーザに通知する第１通知部をさらに備える、電子機器。
【請求項１０】
請求項８に記載の電子機器であって、
前記第１カメラにおいて動画撮影中に、前記第２カメラに前記所定対象物が映ると前記第１判定部が判定したとき、前記第２カメラに前記所定対象物が映ることをユーザに通知する第１通知部をさらに備える、電子機器。
【請求項１１】
請求項１乃至請求項１０のいずれか一つに記載の電子機器であって、
前記第２カメラは、前記第１カメラにおいて動画撮影中に、前記電子機器に対して静止画撮影指示がユーザから入力されたとき、静止画を撮影する、電子機器。
【請求項１２】
請求項１乃至請求項１１のいずれか一つに記載の電子機器であって、
前記第１カメラにおいて動画撮影中に、所定条件が成立するか否かを判定する第２判定部を備え、
前記電子機器は、動作モードとして、前記第２カメラにおいて静止画の撮影が可能である撮影許可モードと、前記第２カメラにおいて静止画が撮影されない撮影不可モードとを有し、
前記第１カメラにおいて動画撮影中に、前記第２判定部が前記所定条件が成立したと判定しないとき、前記動作モードは前記撮影不可モードに設定され、
前記第１カメラにおいて動画撮影中に、前記第２判定部が前記所定条件が成立したと判定したとき、前記動作モードは前記撮影許可モードに設定される、電子機器。
【請求項１３】
請求項１２に記載の電子機器であって、
前記第２カメラは、前記第１カメラにおいて動画撮影中に、前記電子機器に対して静止画撮影指示がユーザから入力されたとき、静止画を撮影し、
前記所定条件は、前記電子機器の位置が一定であるという条件であって、
前記第１カメラにおいて動画撮影中に、前記第２判定部が前記電子機器の位置が一定であると判定しないとき、前記動作モードは前記撮影不可モードに設定され、
前記第１カメラにおいて動画撮影中に、前記第２判定部が前記電子機器の位置が一定であると判定したとき、前記動作モードは前記撮影許可モードに設定される、電子機器。
【請求項１４】
請求項１２及び請求項１３のいずれか一つに記載の電子機器であって、
前記第１カメラにおいて動画撮影中に、現在の前記動作モードをユーザに通知する第２通知部を備える、電子機器。
【請求項１５】
請求項１乃至請求項１４のいずれか一つに記載の電子機器であって、
前記第１カメラは、前記第２カメラよりも広角に撮影できるカメラである、あるいは前記第２カメラは、前記第１カメラよりも広角に撮影できるカメラである、電子機器。
【請求項１６】
請求項１乃至請求項１５のいずれか一つに記載の電子機器であって、
前記静止画は前記動画よりも画素数が多い、あるいは前記動画は前記静止画よりも画素数が多い、電子機器。
【発明の詳細な説明】
【技術分野】
【０００１】
本発明は、電子機器に関する。
【背景技術】
【０００２】
特許文献１にも記載されているように、従来から、カメラを有する電子機器に関して様々な技術が提案されている。
【先行技術文献】
【特許文献】
【０００３】
【特許文献１】特開２００５−１０１８７４号公報
【発明の概要】
【発明が解決しようとする課題】
【０００４】
さて、カメラを有する電子機器では、様々な画像を取得できることが望まれる。
【０００５】
そこで、本発明は上述の点に鑑みて成されたものであり、動画の撮影中に静止画を得ることが可能な技術を提供することを目的とする。
【課題を解決するための手段】
【０００６】
電子機器が開示される。一の実施の形態では、電子機器は、第１カメラと、第２カメラとを備える。第２カメラは、第１カメラにおいて動画撮影中に、静止画を撮影する。
【発明の効果】
【０００７】
動画の撮影中に静止画を得ることができる。
【図面の簡単な説明】
【０００８】
【図１】電子機器の外観を示す斜視図である。
【図２】電子機器の外観を示す背面図である。
【図３】電子機器の電気的構成の一例を示す図である。
【図４】電子機器の動作の一例を示すフローチャートである。
【図５】表示画面の表示の一例を示す図である。
【図６】表示画面の表示の一例を示す図である。
【図７】表示画面の表示の一例を示す図である。
【図８】表示画面の表示の一例を示す図である。
【図９】電子機器の動作の一例を示すフローチャートである。
【図１０】表示画面の表示の一例を示す図である。
【図１１】表示画面の表示の一例を示す図である。
【図１２】表示画面の表示の一例を示す図である。
【図１３】表示画面の表示の一例を示す図である。
【図１４】表示画面の表示の一例を示す図である。
【図１５】表示画面に対するユーザ操作の一例を示す図である。
【図１６】表示画面に対するユーザ操作の一例を示す図である。
【図１７】電子機器の電気的構成の一例を示す図である。
【図１８】電子機器の動作の一例を示すフローチャートである。
【図１９】表示画面の表示の一例を示す図である。
【図２０】電子機器の動作の一例を示すフローチャートである。
【図２１】表示画面の表示の一例を示す図である。
【図２２】表示画面の表示の一例を示す図である。
【図２３】電子機器の動作の一例を示すフローチャートである。
【図２４】表示画面の表示の一例を示す図である。
【図２５】表示画面の表示の一例を示す図である。
【発明を実施するための形態】
【０００９】
＜電子機器の外観＞
図１及び図２は、それぞれ、電子機器１の外観の一例を概略的に示す斜視図及び背面図である。電子機器１は、例えば、スマートフォン等の携帯電話機である。
【００１０】
図１及び図２に示されるように、電子機器１は、当該電子機器１の前面１ａに位置するカバーパネル２と、当該カバーパネル２が取り付けられる機器ケース３とを備えている。カバーパネル２及び機器ケース３は、電子機器１の外装を成している。電子機器１の形状は、例えば、平面視において略長方形の板状となっている。
【００１１】
カバーパネル２には、後述する表示パネル１２１が表示する、文字、記号、図形等の各種情報が表示される表示画面（表示領域とも呼ばれる）２ａが設けられている。表示画面２ａの形状は、例えば、平面視において長方形である。カバーパネル２における、表示画面２ａを取り囲む周縁部２ｂの大部分は、例えばフィルム等が貼られることによって黒色となっている。これにより、カバーパネル２の周縁部２ｂの大部分は、表示パネル１２１が表示する各種情報が表示されない非表示領域となっている。
【００１２】
表示画面２ａの裏面には、後述するタッチパネル１３０が取り付けられている。そして、表示パネル１２１は、タッチパネル１３０における表示画面２ａ側の面とは反対側の面に取り付けられている。つまり、表示パネル１２１は、タッチパネル１３０を介して表示画面２ａの裏面に取り付けられている。これにより、ユーザは、表示画面２ａを指等の操作子で操作することによって、電子機器１に対して各種指示を与えることができる。
【００１３】
図１に示されるように、カバーパネル２の上側端部には、後述する第３カメラ２００が有するレンズが電子機器１の外部から視認できるための第３レンズ用透明部２０が設けられている。また、カバーパネル２の上側端部には、レシーバ穴１６が設けられている。カバーパネル２の下側端部には、スピーカ穴１７が設けられている。そして、電子機器１の底面１ｃ、つまり機器ケース３の底面（下側の側面）には、マイク穴１５が設けられている。
【００１４】
図２に示されるように、電子機器１の背面１ｂ、つまり機器ケース３の背面の上側端部には、後述する第１カメラ１８０が有するレンズが、電子機器１の外部から視認できるための第１レンズ用透明部１８が設けられている。また、機器ケース３の背面の上側端部には、後述する第２カメラ１９０が有するレンズが、電子機器１の外部から視認できるための第２レンズ用透明部１９が設けられている。第１レンズ用透明部１８及び第２レンズ用透明部１９は、例えば、機器ケース３の長手方向に沿って並んで、当該機器ケース３の背面に設けられている。
【００１５】
機器ケース３の内部には、複数の操作ボタン１４から成る操作ボタン群１４０が設けられている。各操作ボタン１４は、押しボタンなどのハードウェアボタンであって、その表面がカバーパネル２の下側端部から露出している。ユーザは、各操作ボタン１４を操作することによって、電子機器１に対して各種指示を与えることができる。複数の操作ボタン１４には、例えば、ホームボタン、バックボタン、履歴ボタンが含まれている。
【００１６】
ホームボタンは、表示画面２ａにホーム画面を表示させるための操作ボタンである。バックボタンは、表示画面２ａの表示を一つ前の表示に切り替えるための操作ボタンである。履歴ボタンは、電子機器１で実行されたアプリケーションの履歴を表示画面２ａに表示させるための操作ボタンである。
【００１７】
＜電子機器の電気的構成＞
図３は、電子機器１の電気的構成の一例を示すブロック図である。図３に示されるように、電子機器１には、制御部１００、無線通信部１１０、表示部１２０、タッチパネル１３０、操作ボタン群１４０及びマイク１５０が設けられている。さらに電子機器１には、レシーバ１６０、外部スピーカ１７０、第１カメラ１８０、第２カメラ１９０、第３カメラ２００及び電池２１０が設けられている。電子機器１に設けられたこれらの構成要素のそれぞれは、機器ケース３内に収められている。
【００１８】
制御部１００は、一種のコンピュータであって、例えばＣＰＵ（Central Processing Unit）１０１、ＤＳＰ（Digital Signal Processor）１０２及び記憶部１０３等を備えている。制御部１００は、電子機器１の他の構成要素を制御することによって、電子機器１の動作を統括的に管理することが可能である。
【００１９】
記憶部１０３は、ＣＰＵ１０１及びＤＳＰ１０２が読み取り可能な非一時的な記録媒体であって、揮発性メモリ１０３ａ及び不揮発性メモリ１０３ｂを備えている。揮発性メモリ１０３ａは、例えばＤＲＡＭ（Dynamic Random Access Memory）である。不揮発性メモリ１０３ｂは、例えば、フラッシュＲＯＭ（フラッシュメモリ）である。記憶部１０３には、電子機器１を制御するためのメインプログラム及び複数のアプリケーションプログラム（以降、単に「アプリケーション」あるいは「アプリ」と呼ぶことがある）等が記憶されている。制御部１００の各種機能は、ＣＰＵ１０１及びＤＳＰ１０２が記憶部１０３内の各種プログラムを実行することによって実現される。記憶部１０３には、例えば、音声通話及びビデオ通話を行うための通話アプリケーション、第１カメラ１８０、第２カメラ１９０あるいは第３カメラ２００を用いて、静止画あるいは動画を撮影するためのカメラアプリケーション（以降、「カメラアプリ」と呼ぶことがある）が記憶されている。
【００２０】
なお、記憶部１０３は、揮発性メモリ１０３ａ及び不揮発性メモリ１０３ｂ以外の、コンピュータが読み取り可能な非一時的な記録媒体を備えていても良い。記憶部１０３は、例えば、小型のハードディスクドライブ及びＳＳＤ（Solid State Drive）等を備えていても良い。また、制御部１００の全ての機能あるいは制御部１００の一部の機能は、その機能の実現にソフトウェアが不要なハードウェアによって実現されても構わない。
【００２１】
無線通信部１１０は、アンテナ１１１を有している。無線通信部１１０は、例えば、電子機器１とは別の携帯電話機からの信号、あるいはインターネットに接続されたウェブサーバ等の通信装置からの信号を、基地局を介してアンテナ１１１で受信することが可能である。無線通信部１１０は、アンテナ１１１での受信信号に対して増幅処理及びダウンコンバートを行って制御部１００に出力することが可能である。制御部１００は、入力される受信信号に対して復調処理等を行って、当該受信信号に含まれる音声や音楽などを示す音信号などの情報を取得することが可能である。
【００２２】
また無線通信部１１０は、制御部１００で生成された送信信号に対して、アップコンバート及び増幅処理を行って、当該処理後の送信信号をアンテナ１１１から無線送信することが可能である。アンテナ１１１からの送信信号は、例えば、基地局を通じて、電子機器１以外の携帯電話機あるいはインターネットに接続されたウェブサーバ等の通信装置で受信される。
【００２３】
表示部１２０は、表示パネル１２１及び表示画面２ａを備えている。表示パネル１２１は、例えば、液晶パネルあるいは有機ＥＬパネルである。表示パネル１２１は、制御部１００に制御されることによって、文字、記号、図形などの各種情報を表示することが可能である。表示パネル１２１が表示する各種情報は、表示画面２ａに表示される。
【００２４】
タッチパネル１３０は、例えば、投影型静電容量方式のタッチパネルである。タッチパネル１３０は、表示画面２ａに対する指等の操作子による操作を検出することが可能である。タッチパネル１３０は、表示画面２ａに対する操作を検出する操作検出部として機能する。ユーザが指等の操作子によって表示画面２ａに対して操作を行うと、その操作に応じた電気信号がタッチパネル１３０から制御部１００に入力される。これにより、制御部１００は、タッチパネル１３０からの電気信号に基づいて、表示画面２ａに対して行われた操作の内容を特定して、その内容に応じた処理を行うことが可能である。なお、ユーザは、指以外の操作子、例えば、スタイラスペンなどのタッチパネル用ペンで表示画面２ａを操作することによっても、電子機器１に対して各種指示を与えることができる。
【００２５】
操作ボタン群１４０の各操作ボタン１４は、ユーザによって操作されると、操作されたことを示す操作信号を制御部１００に出力する。これにより、制御部１００は、各操作ボタン１４からの操作信号に基づいて、当該操作ボタン１４が操作されたか否かを判断することができる。制御部１００は、操作された操作ボタン１４に応じた処理を行うことが可能である。なお、各操作ボタン１４は、押しボタンなどのハードウェアボタンではなく、表示画面２ａに表示されるソフトウェアボタンであってもよい。この場合には、ソフトウェアボタンへの操作がタッチパネルに１３０によって検出されて、制御部１００は、操作されたソフトウェアボタンに応じた処理を行うことが可能である。
【００２６】
マイク１５０は、電子機器１の外部から入力される音を電気的な音信号に変換して制御部１００に出力することが可能である。電子機器１の外部からの音は、例えば、機器ケース３の底面（下側の側面）に設けられたマイク穴１５から電子機器１の内部に取り込まれてマイク１５０に入力される。
【００２７】
外部スピーカ１７０は、例えばタイミックスピーカである。外部スピーカ１７０は、制御部１００からの電気的な音信号を音に変換して出力することが可能である。外部スピーカ１７０から出力される音は、例えば、カバーパネル２の下側端部に設けられスピーカ穴１７から電子機器１の外部に出力される。スピーカ穴１７から出力される音については、電子機器１から離れた場所でも聞こえるような音量となっている。
【００２８】
レシーバ１６０は、例えばダイナミックスピーカで構成されている。レシーバ１６０は、制御部１００からの電気的な音信号を音に変換して出力することが可能である。レシーバ１６０は、例えば、受話音を出力する。レシーバ１６０から出力される音は、例えば、カバーパネル２の上側端部に設けられたレシーバ穴１６から外部に出力される。レシーバ穴１６から出力される音の音量は、例えば、外部スピーカ１７０からスピーカ穴１７を介して出力される音の音量よりも小さくなっている。
【００２９】
なおレシーバ１６０に替えて、圧電振動素子が設けられても良い。圧電振動素子は、制御部１００からの音声信号に基づいて振動することが可能である。圧電振動素子は、例えばカバーパネル２の裏面に設けられており、音声信号に基づく自身の振動によってカバーパネル２を振動させることが可能である。そして、ユーザが自身の耳をカバーパネル２に近づけることにより、カバーパネル２の振動が音声としてユーザに伝達される。レシーバ１６０に替えて圧電振動素子が設けられる場合には、レシーバ穴１６は不要である。
【００３０】
電池２１０は、電子機器１の電源を出力することが可能である。電池２１０は、例えば、リチウムイオン二次電池等の充電式の電池である。電池２１０は、電子機器１が備える制御部１００及び無線通信部１１０等の各種電子部品に対して電源を供給することが可能である。
【００３１】
第１カメラ１８０、第２カメラ１９０及び第３カメラ２００のそれぞれは、レンズ及び撮像素子などで構成されている。第１カメラ１８０、第２カメラ１９０及び第３カメラ２００のそれぞれは、制御部１００の制御によって被写体を撮影し、撮影した被写体が映る静止画あるいは動画を生成して制御部１００に出力することが可能である。制御部１００は、入力される静止画あるいは動画を、記憶部１０３の不揮発性メモリ１０３ｂに記憶することが可能である。
【００３２】
第３カメラ２００が有するレンズは、カバーパネル２に設けられた第３レンズ用透明部２０から視認可能となっている。したがって、第３カメラ２００は、電子機器１のカバーパネル２側、つまり電子機器１の前面１ａ側に存在する物体を撮影することが可能である。このような第３カメラ２００は、「インカメラ」と呼ばれることがある。以降、第３カメラ２００を「インカメラ２００」と呼ぶことがある。
【００３３】
第１カメラ１８０が有するレンズは、電子機器１の背面１ｂに設けられた第１レンズ用透明部１８から視認可能となっている。また、第２カメラ１９０が有するレンズは、電子機器１の背面１ｂに設けられた第２レンズ用透明部１９から視認可能となっている。したがって、第１カメラ１８０及び第２カメラ１９０は、電子機器１の背面１ｂ側に存在する物体を撮影することが可能である。このような第１カメラ１８０及び第２カメラ１９０のそれぞれは、「アウトカメラ」と呼ばれることがある。
【００３４】
第１カメラ１８０は、第２カメラ１９０よりも広角に撮影できるカメラである。ここで、「広角に撮影できるカメラ」とは、第１カメラ１８０及び第２カメラ１９０のレンズがともに、画角が固定の単焦点レンズである場合には、第１カメラ１８０の固定の画角が、第２カメラ１９０の固定の画角よりも大きいことを意味する。また、第１カメラ１８０のレンズが単焦点レンズであり、第２カメラ１９０のレンズが、画角が可変のズームレンズである場合には、「広角に撮影できるカメラ」とは、第１カメラ１８０の固定の画角が、第２カメラ１９０の可変の画角の最大値よりも大きいことを意味する。また、第１カメラ１８０のレンズがズームレンズであり、第２カメラ１９０のレンズが単焦点レンズである場合には、「広角に撮影できるカメラ」とは、第１カメラ１８０の可変の画角の最大値が、第２カメラ１９０の固定の画角よりも大きいことを意味する。そして、第１カメラ１８０及び第２カメラ１９０のレンズがともにズームレンズである場合には、「広角に撮影できるカメラ」とは、第１カメラ１８０の可変の画角の最大値が、第２カメラ１９０の可変の画角の最大値よりも大きいことを意味する。
【００３５】
以後、説明の便宜上、第１カメラ１８０を「広角カメラ１８０」と呼び、第２カメラ１９０を「標準カメラ１９０」と呼ぶ。また、第１カメラ１８０、第２カメラ１９０及びインカメラ２００を特に区別する必要がないときには、それぞれを単に「カメラ」と呼ぶ。本例では、各カメラのレンズは単焦点レンズである。なお、広角カメラ１８０、標準カメラ１９０及びインカメラ２００のレンズの少なくとも一つがズームレンズであっても良い。
【００３６】
電子機器１は、各カメラについてのズーム機能を有している。つまり、電子機器１は、広角カメラ１８０の撮影範囲（以後、「広角撮影範囲」と呼ぶ）をズームする広角カメラズーム機能と、標準カメラ１９０の撮影範囲（以後、「標準撮影範囲」と呼ぶ）をズームする標準カメラズーム機能と、インカメラ２００が撮影する被写体をズームするインカメラズーム機能とを有している。そして、広角カメラ１８０及び標準カメラ１９０のそれぞれのズーム倍率が一倍である場合には、広角撮影範囲は、標準撮影範囲よりも広く、当該標準撮影範囲を含んでいる。
【００３７】
本例では、各カメラのレンズは単焦点レンズであることから、広角カメラズーム機能、標準カメラズーム機能及びインカメラズーム機能のそれぞれはデジタルズーム機能である。なお、広角カメラズーム機能、標準カメラズーム機能及びインカメラズーム機能の少なくとも一つが、ズームレンズによって実現される光学ズーム機能であっても良い。
【００３８】
また、本例では、標準カメラ１９０が有する撮像素子の画素数は、広角カメラ１８０が有する撮像素子の画素数より多く、インカメラ２００が有する撮像素子の画素数は、広角カメラ１８０が有する撮像素子の画素数より少なくなっている。
【００３９】
ユーザは、表示画面２ａを操作することによって、各カメラが撮影する静止画の画素数を設定することができる。これにより、不揮発性メモリ１０３ｂに保存される静止画のファイルサイズを調整することができる。
【００４０】
広角カメラ１８０が撮影する静止画の画素数の最大設定値は、標準カメラ１９０が撮影する静止画の画素数の最大設定値よりも小さくなっている。また、標準カメラ１９０が撮影する動画の画素数と、広角カメラ１８０が撮影する動画の画素数と一致しており、例えば固定である。広角カメラ１８０及び標準カメラ１９０のそれぞれでは、撮影される動画の画素数（固定）は、撮影される静止画の画素数の最大設定値よりも小さくなっている。したがって、広角カメラ１８０が撮影する動画の画素数は、標準カメラ１９０が撮影する静止画の画素数の最大設定値よりも小さくなっている。
【００４１】
＜カメラアプリ実行時の電子機器の動作について＞
図４は、カメラアプリが実行される際の電子機器１の動作の一例を示すフローチャートである。表示画面２ａに対して所定の操作が行われると、図４に示されるように、ステップＳ１において、制御部１００は、記憶部１０３内に記憶されたカメラアプリの実行を開始する。
【００４２】
制御部１００が各種アプリを実行する前の初期状態において、表示画面２ａには、例えば、ホーム画面が表示されている。また、ホーム画面には、各種アプリをそれぞれ実行するための複数のアイコンが表示されている。タッチパネル１３０が、表示画面２ａに表示されるカメラアプリを実行するためのアイコンに対する操作を検出すると、制御部１００は、記憶部１０３内に記憶されたカメラアプリの実行を開始する。
【００４３】
表示画面２ａに表示されるアイコンに対する操作としては、例えば、当該アイコンに対して、ユーザが指等の操作子を接触させた後、あるいは近接させた後、当該操作子を遠ざける操作が考えられる。この操作は、いわゆるタップ操作と呼ばれる。なお、このタップ操作は、アプリを実行するためのアイコンに対する操作以外にも、表示画面２ａに表示されるソフトウェアボタン等の各種情報に対する操作として使用される。
【００４４】
カメラアプリが実行されていないときは、広角カメラ１８０、標準カメラ１９０及びインカメラ２００の動作は停止している。つまり、広角カメラ１８０、標準カメラ１９０及びインカメラ２００に対しては電源が供給されていない。制御部１００は、カメラアプリの実行を開始すると、ステップＳ２において、広角カメラ１８０、標準カメラ１９０及びインカメラ２００のうちの広角カメラ１８０だけに電源を供給して当該広角カメラ１８０を起動する。カメラが起動するとは、当該カメラに対して電源の供給が開始されることを意味する。制御部１００は、広角カメラ１８０、標準カメラ１９０及びインカメラ２００に対する電源の供給を制御する。
【００４５】
ステップＳ２において広角カメラ１８０が起動すると、ステップＳ３において、制御部１００は、広角カメラ１８０で撮影されるスルー画像（ライブビュー画像、プレビュー画像、あるいは単にプレビューとも呼ばれる）を表示パネル１２１に表示させる。つまり、表示画面２ａには、広角カメラ１８０において所定のフレームレートで連続的に撮影される画像がリアルタイムに表示される。スルー画像は、ユーザが、カメラが撮影する撮影範囲内の被写体をリアルタイムに確認するための画像である。スルー画像は、制御部１００によって、記憶部１０３内の揮発性メモリ１０３ａに一時的に記憶された後、表示画面２ａに表示される。スルー画像も動画の一種であるが、ここでは、カメラが撮影する動画とは、スルー画像とは異なり、不揮発性メモリ１０３ｂに保存される動画を意味する。以降、広角カメラ１８０が撮影するスルー画像を「広角スルー画像」と呼ぶことがある。また、標準カメラ１９０が撮影するスルー画像を「標準スルー画像」と呼ぶことがある。
【００４６】
図５は、広角スルー画像４００を表示する表示画面２ａの表示の一例を示す図である。以下の説明では、説明の便宜上、表示画面２ａの長手方向及び短手方向を、それぞれ、左右方向及び上下方向と定義する。
【００４７】
図５に示されるように、表示画面２ａの右上部分には、サブ画面３１０が表示されている。また、表示画面２ａの右側端部には、ソフトウェアボタンである静止画撮影ボタン３２０及び動画撮影ボタン３３０が表示されている。表示画面２ａにおける、サブ画面３１０及びソフトウェアボタンが表示される領域以外の部分領域３５０（以後、「メイン画面３５０」と呼ぶことがある）には、広角スルー画像４００が表示されている。つまり、メイン画面３５０には、広角カメラ１８０が連続的に撮影する広角撮影範囲内の被写体が表示される。
【００４８】
サブ画面３１０には、記憶部１０３に保存されている、標準カメラ１９０で撮影された静止画５１０（以後、「撮影静止画５１０」と呼ぶことがある）が表示されている。サブ画面３１０には、記憶部１０３に保存されている撮影静止画５１０のうち、撮影日時が最も新しい撮影静止画５１０が表示される。なお、記憶部１０３に撮影静止画５１０が保存されていない場合には、サブ画面３１０は、例えば黒色となる。
【００４９】
このように、メイン画面３５０に広角スルー画像４００が表示され、サブ画面３１０に撮影静止画５１０が表示されることから、ユーザは、広角スルー画像４００と撮影静止画５１０とを同時に確認することができる。また、広角スルー画像４００が撮影静止画５１０よりも大きく表示されることから、ユーザは、広角スルー画像４００を確認しやすくなる。
【００５０】
静止画撮影ボタン３２０は、静止画を撮影するためのボタンである。標準カメラ１９０が起動している場合には、タッチパネル１３０が静止画撮影ボタン３２０に対する所定の操作（例えばタップ操作）を検出すると、制御部１００は、静止画撮影ボタン３２０が操作されたときに標準カメラ１９０が撮影する静止画を記憶部１０３内の不揮発性メモリ１０３ｂに記憶する。
【００５１】
一方、標準カメラ１９０が起動しておらず、広角カメラ１８０が動画を撮影していない場合には、タッチパネル１３０が静止画撮影ボタン３２０に対する所定の操作（例えばタップ操作）を検出すると、制御部１００は、静止画撮影ボタン３２０が操作されたときに広角カメラ１８０が撮影する静止画を記憶部１０３内の不揮発性メモリ１０３ｂに記憶する。
【００５２】
動画撮影ボタン３３０は、広角カメラ１８０において動画の撮影開始及び停止を行うための操作ボタンである。タッチパネル１３０が動画撮影ボタン３３０に対する所定の操作（例えばタップ操作）を検出すると、制御部１００は、広角カメラ１８０において撮影される動画についての不揮発性メモリ１０３ｂへの記憶を開始する。その後、タッチパネル１３０が動画撮影ボタン３２０に対する所定の操作を検出すると、制御部１００は、広角カメラ１８０で撮影される動画についての不揮発性メモリ１０３ｂへの記憶を停止する。
【００５３】
図４に示されるステップＳ３の後、ステップＳ４において、タッチパネル１３０が動画撮影ボタン３２０への操作を検出すると、ステップＳ５において、制御部１００は、広角カメラ１８０での動画の撮影を開始する。具体的には、広角カメラ１８０において撮影される動画についての不揮発性メモリ１０３ｂへの記憶を開始する。またステップＳ５において、制御部１００は、標準カメラ１９０に電源を供給して、標準カメラ１９０を起動する。
【００５４】
ステップＳ５において、広角カメラ１８０が動画の撮影を開始すると、ステップＳ６において、制御部１００は、広角カメラ１８０において撮影中の動画（以後、「撮影中動画）と呼ぶことがある）を表示パネル１２１に表示させる。
【００５５】
図６は、撮影中動画４１０を表示する表示画面２ａの一例を示す図である。図６に示されるように、メイン画面３５０には、図５で示した広角スルー画像４００に替わって、撮影中動画４１０が表示される。また、図６に示されるように、広角カメラ１８０が動画を撮影している場合での動画撮影ボタン３３０ｂと、図５に示される、広角カメラ１８０が動画を撮影していない場合での動画撮影ボタン３３０ａとではその表示が異なっている。これにより、ユーザは、動画撮影ボタン３３０を見ることによって、広角カメラ１８０で動画を撮影中か否かを知ることができる。
【００５６】
また、メイン画面３５０に撮影中動画４１０が表示され、サブ画面３１０に撮影静止画５１０が表示されることから、ユーザは、撮影中動画４１０と撮影静止画５１０とを同時に確認することができる。また、撮影中動画４１０は、撮影静止画５１０よりも大きく表示されることから、ユーザは撮影中動画４１０を確認しやすくなる。
【００５７】
広角カメラにおいて動画の撮影中に、ステップＳ７において、タッチパネル１３０が動画撮影ボタン３３０への操作を検出すると、ステップＳ８において、制御部１００は、広角カメラ１８０においての動画の撮影を停止する。具体的には、制御部１００は、広角カメラ１８０において撮影される動画についての不揮発性メモリ１０３ｂへの記憶を停止する。またステップＳ８において、制御部１００は、標準カメラ１９０への電源の供給を停止して、標準カメラ１９０を停止する。
【００５８】
ステップＳ８の後、再度ステップＳ３が実行される。ステップＳ８の後に実行されるステップＳ３において、制御部１００は、撮影中動画４１０に替わり、広角スルー画像４００をメイン画面３５０に表示させる。このときの表示画面２ａには、図５で示したような画面が表示される。以後、電子機器１は同様に動作する。
【００５９】
一方、広角カメラ１８０において動画を撮影中に、ステップＳ９において、タッチパネル１３０が静止画撮影ボタン３２０への操作を検出すると、ステップＳ１０において、標準カメラ１９０によって静止画が撮影される。具体的には、制御部１００は、静止画撮影ボタン３２０が操作されたときに標準カメラ１９０が撮影する静止画を記憶部１０３内の不揮発性メモリ１０３ｂに記憶する。そして、ステップＳ１１において、制御部１００は、表示パネル１２１を制御することによって、ステップＳ１０で撮影された撮影静止画５１０をサブ画面３１０に表示させる。
【００６０】
このように、広角カメラ１８０において動画を撮影中に、標準カメラ１９０が静止画を撮影すると、表示画面２ａには、当該静止画と撮影中動画４１０が表示される。これにより、ユーザは、広角カメラ１８０で撮影中の動画と、標準カメラ１９０で撮影された静止画の両方を同時に確認することができる。
【００６１】
ステップＳ１１の後、制御部１００は、ステップＳ６を実行した後の状態、つまり静止画撮影ボタン３２０及び動画撮影ボタン３３０への操作を待つ状態となる。以後、電子機器１は同様に動作する。
【００６２】
以上のように、電子機器１では、広角カメラ１８０において動画を撮影中に、標準カメラ１９０によって静止画が撮影される。つまり、動画を撮影しているカメラとは異なるカメラで静止画が撮影される。したがって、静止画の生成の自由度が向上する。広角カメラ１８０が撮影する動画から静止画を生成することは可能であるが、この場合には、静止画の画素数及び画角は、動画の画素数及び画角と同じとなる。本電子機器１では、動画を撮影しているカメラとは異なるカメラで静止画が撮影されることから、動画の画素数とは異なる画素数の静止画を得ることが可能となる。また、動画の画角とは異なる画角の静止画を得ることが可能となる。
【００６３】
また、メイン画面３５０に撮影中動画４１０が表示され、サブ画面３１０に撮影静止画５１０が表示されることから、ユーザは、撮影中動画４１０と撮影静止画５１０とを同時に確認することができる。また、撮影中動画４１０は、撮影静止画５１０よりも大きく表示されることから、ユーザは撮影中動画４１０を確認しやすくなる。
【００６４】
＜撮影静止画の拡大表示＞
サブ画面３１０に撮影静止画５１０が表示されている場合に、タッチパネル１３０が当該撮影静止画５１０への所定の操作（例えばタップ操作）を検出すると、制御部１００は、表示パネル１２１に撮影静止画５１０を拡大して表示させる。
【００６５】
図７は、撮影静止画５１０が拡大して表示される表示画面２ａの表示の一例を示す図である。図７の例では、撮影静止画５１０が表示画面２ａの大きさに拡大されて表示されている。また、表示画面２ａにはサブ画面３１０、静止画撮影ボタン３２０及び動画撮影ボタン３３０は表示されていない。
【００６６】
図７に示されるように、撮影静止画５１０が拡大して表示されている場合には、制御部１００は、所定の操作、例えば、バックボタンである操作ボタン１４への操作を検出すると、表示画面２ａの表示を、撮影静止画５１０を拡大して表示する前の表示に戻す。
【００６７】
このような撮影静止画５１０を拡大表示する操作は、メイン画面３５０に広角スルー画像４００が表示されている場合に行われても良いし、メイン画面３５０に撮影中動画４１０が表示されている場合に行われても良い。
【００６８】
このように、撮影静止画５１０が拡大して表示されるため、ユーザは、撮影静止画５１０を確認しやすくなる。
【００６９】
本例では、広角カメラ１８０において動画を撮影している間だけ標準カメラ１９０が起動している。これにより、標準カメラ１９０が常に起動している場合と比較して、電子機器１の消費電力を抑制することができる。なお、広角カメラ１８０が動画を撮影していない場合であっても、標準カメラ１９０を起動しても良い。例えば、広角カメラ１８０の起動と同時に標準カメラ１９０を起動しても良い。
【００７０】
また、電子機器１は、動作モードとして、広角カメラ１８０において動画を撮影中に標準カメラ１９０による静止画の撮影が可能である撮影許可モードと、広角カメラ１８０において動画の撮影中に標準カメラ１９０による静止画の撮影がされない撮影不可モードとを備えていても良い。ユーザは、表示画面２ａを操作することによって、電子機器１に対して、撮影許可モードで動作するか、撮影不可モードで動作するかを指示することができる。
【００７１】
電子機器１の動作モードが撮影許可モードに設定されている場合には、上述の図６に示されるように、広角カメラ１８０での動画撮影中に、静止画撮影ボタン３２０が表示される。一方で、電子機器１の動作モードが撮影不可モードに設定されている場合には、広角カメラ１８０での動画撮影中には静止画撮影ボタン３２０が表示されない。電子機器１の動作モードが撮影不可モードである場合には、制御部１００は、標準カメラ１９０への電源の供給を停止して、当該標準カメラ１９０の動作を停止しても良い。これにより、電子機器１の消費電力を抑制することができる。
【００７２】
なお、電子機器１の動作モードが撮影不可モードに設定されている場合、広角カメラ１８０での動画撮影中に静止画撮影ボタン３２０が表示されても良い。この場合には、広角カメラ１８０での動画撮影中に静止画撮影ボタン３２０が操作されると、制御部１００は、広角カメラ１８０において撮影中の動画から、静止画撮影ボタン３２０が操作されたときの静止画像を生成して、記憶部１０３内の不揮発性メモリ１０３ｂに記憶する。これにより、広角カメラ１８０において撮影中の動画から静止画を生成することができる。
【００７３】
また、広角カメラ１８０が動画を撮影中か否かにかかわらず、サブ画面３１０には、図８に示されるように、撮影静止画５１０の替りに標準スルー画像５００が表示されても良い。図８では、広角カメラ１８０が動画を撮影していないときに、サブ画面３１０に標準スルー画像５００が表示されている様子が示されている。サブ画面３１０に標準スルー画像５００が表示されている場合に、静止画撮影ボタン３２０が操作されたときには、標準カメラ１９０で撮影された撮影静止画５１０が、サブ画面３１０において、図５，６に示されるように一時的に表示された後、サブ画面３１０には、標準スルー画像５００が表示される。
【００７４】
＜各種変形例＞
以下に、電子機器１の各種変形例について説明する。
【００７５】
＜第１変形例：メイン画面での標準スルー画像の表示＞
本変形例では、ユーザは、メイン画面３５０に標準スルー画像５００を表示させることができる。図９は、本変形例に係る電子機器１の動作の一例を示すフローチャートである。
【００７６】
カメラアプリの実行中に動画撮影ボタン３３０が操作されると、ステップＳ２１において、制御部１００は、広角カメラ１８０において動画撮影を開始する。また、ステップＳ２１において、制御部１００は、標準カメラ１９０を起動して、標準スルー画像の撮影を開始する。
【００７７】
ステップＳ２１において、広角カメラ１８０において動画の撮影が開始されると、ステップＳ２２において、制御部１００は、撮影中動画４１０をメイン画面３５０に表示させる。またステップＳ２２において、制御部１００は、切替ボタン３４０を表示画面２ａに表示させる。
【００７８】
図１０は、撮影中動画４１０及び切替ボタン３４０を表示する表示画面２ａの一例を示す図である。図１０に示されるように、メイン画面３５０及びサブ画面３１０には、それぞれ、撮影中動画４１０及び撮影静止画５１０が表示されている。また表示画面２ａには、ソフトウェアボタンである切替ボタン３４０が表示されている。図１０の例では、切替ボタン３４０は、表示画面２ａの左下部分に表示されている。切替ボタン３４０は、メイン画面３５０及びサブ画面３１０にそれぞれ表示される画像を切り替えるための操作ボタンである。
【００７９】
ステップＳ２２の後、ステップＳ２３において、タッチパネル１３０が切替ボタン３４０に対する操作を検出すると、ステップＳ２４において、制御部１００は、標準スルー画像５００を表示パネル１２１に表示させる。
【００８０】
図１１は、標準スルー画像５００及び切替ボタン３４０を表示する表示画面２ａの表示の一例を示す図である。図１１に示されるように、撮影中動画４１０に替わり標準スルー画像５００がメイン画面３５０に表示されている。つまり、メイン画面３５０には、標準カメラ１９０が連続的に撮影する標準撮影範囲内の被写体が表示される。また、サブ画面３１０には、撮影静止画５１０に替わって、撮影中動画４１０が表示されている。
【００８１】
標準スルー画像５００がメイン画面３５０に表示されている場合に、ステップＳ２５において、タッチパネル１３０が切替ボタン３４０への操作を検出すると、ステップＳ２２が再度実行される。ステップＳ２５の後に実行されるステップＳ２２において、制御部１００は、標準スルー画像５００に替わり撮影中動画４１０をメイン画面３５０に表示させる。また、制御部１００は、撮影中動画４１０に替わり、撮影静止画５１０をサブ画面３１０に表示させる。これにより、表示画面２ａには、図１０に示されるような画面が表示される。
【００８２】
以上のように、表示画面２ａに標準スルー画像５００が表示されることから、ユーザは、標準スルー画像５００を確認することができる。また、メイン画面３５０に標準スルー画像５００が表示され、サブ画面３１０に撮影中動画４１０が表示されることから、ユーザは、標準スルー画像５００と撮影中動画４１０とを同時に確認することができる。また、標準スルー画像５００が撮影中動画４１０よりも大きく表示されることから、ユーザは標準スルー画像５００を確認しやすくなる。
【００８３】
メイン画面３５０に標準スルー画像５００が表示されており、サブ画面３１０に撮影中動画４１０が表示されている場合に、標準カメラ１９０において静止画が撮影された場合には、制御部１００は、例えば、図１２に示されるように、メイン画面３５０に撮影静止画５１０を表示させる。そして、制御部１００は、メイン画面３５０に撮影静止画５１０を一定時間表示させた後に、図１１に示されるように、メイン画面３５０に標準スルー画像５００を表示させる。また、メイン画面３５０に標準スルー画像５００が表示されており、サブ画面３１０に撮影中動画４１０が表示されている場合に、標準カメラ１９０において静止画が撮影された場合には、制御部１００は、図１０に示されるように、メイン画面３５０に撮影中動画４１０を表示させ、サブ画面３１０に撮影静止画５１０を表示させても良い。
【００８４】
また、メイン画面３５０に標準スルー画像５００が表示されており、サブ画面３１０に撮影中動画４１０が表示されている場合に、タッチパネル１３０が動画撮影ボタン３３０への操作を検出すると、制御部１００は、広角カメラ１８０において動画の撮影を停止する。広角カメラ１８０において動画の撮影が停止されると、図１３に示されるように、サブ画面３１０には、撮影中動画４１０に替わり、広角スルー画像４００が表示される。
【００８５】
なお、切替ボタン３４０は、メイン画面３５０に撮影中動画４１０が表示されているときだけでなく、メイン画面３５０に広角スルー画像４００が表示されているときにも表示されても良い。この場合には、メイン画面３５０に広角スルー画像４００が表示されているときには標準カメラ１９０は動作している。
【００８６】
図１４は、広角スルー画像４００及び切替ボタン３４０を表示する表示画面２ａの表示の一例を示す図である。図１４に示されるように、メイン画面３５０及びサブ画面３１０には、それぞれ、広角スルー画像４００及び撮影静止画５１０が表示されている。また、表示画面２ａの左下部分には、切替ボタン３４０が表示されている。
【００８７】
図１４に示されるような画面が表示画面２ａに表示されている場合に、タッチパネル１３０が切替ボタン３４０への操作を検出すると、上述の図１３に示されるように、メイン画面３５０には、広角スルー画像４００に替わり標準スルー画像５００が表示され、サブ画面３１０には、撮影静止画５１０に替わり広角スルー画像４００が表示される。その後、タッチパネル１３０が切替ボタン３４０への操作を検出した場合には、図１４に示されるように、メイン画面３５０には、標準スルー画像５００に替わり広角スルー画像４００が表示され、サブ画面３１０には、広角スルー画像４００に替わり撮影静止画５１０が表示される。
【００８８】
また、メイン画面３５０に標準スルー画像５００が表示され、サブ画面３１０に広角スルー画像４００が表示されている場合（図１３参照）に、タッチパネル１３０が動画撮影ボタン３３０への操作を検出すると、制御部１００は、広角カメラ１８０において動画の撮影を開始する。広角カメラ１８０において動画の撮影が開始されると、上述の図１１に示されるように、サブ画面３１０には、広角スルー画像４００に替わり撮影中動画４１０が表示される。
【００８９】
なお、図１０，１４に示される表示画面２ａにおいて、上述の図８に示されるように、サブ画面３１０には撮影静止画像５１０ではなく標準スルー画像５００が表示されても良い。
【００９０】
＜ズーム撮影について＞
上述のように、電子機器１は、広角カメラ１８０、標準カメラ１９０及びインカメラ２００のそれぞれについてのズーム機能を有している。
【００９１】
カメラの撮影範囲内の被写体をズームインするズームイン操作としては、例えば、ピンチアウト操作（ピンチオープン操作とも呼ばれる）を採用することができる。またカメラの撮影範囲内の被写体をズームアウトするズームアウト操作としては、例えば、ピンチイン操作（ピンチクローズ操作とも呼ばれる）を採用することができる。ピンチアウト操作及びピンチイン操作は、まとめてピンチ操作と呼ばれる。
【００９２】
図１５は、表示画面２ａにおける、標準スルー画像５００を表示するメイン画面３５０に対して、ズーム操作としてのピンチ操作が行われる様子を示す図である。
【００９３】
ピンチアウト操作とは、図１５に示されるように、２本の指（例えば親指と人差し指）が表示画面２ａに接触した状態、あるいは近接した状態で、当該２本の指が離れる（開く）操作である。ズームイン時のズーム倍率は、ピンチアウト操作において離れていく２本の指の間の距離（開いていく２本の指が成す角度）によって決定される。ピンチアウト操作を行う２本の指が離れるほど、ズーム倍率が大きくなる。これにより標準カメラ１９０の撮影範囲内の被写体をズームインすることができる。
【００９４】
ピンチイン操作とは、図１５に示されるように、２本の指が表示画面２ａに接触した状態、あるいは近接した状態で、当該２本の指が近づく（閉じる）操作である。ズームアウト時のズーム倍率は、ピンチイン操作において近づいていく２本の指の間の距離（閉じていく２本の指が成す角度）によって決定される。ピンチイン操作を行う２本の指が近づくほど、ズーム倍率が小さくなる。これにより標準カメラ１９０の撮影範囲内の被写体をズームアウトすることができる。
【００９５】
このように、表示画面２ａのメイン画面３５０に標準スルー画像５００が表示されている場合には、標準カメラ１９０の撮影範囲をズームすることができる。よって、ユーザは、静止画撮影ボタン３２０を操作することによって、電子機器１の標準カメラ１９０に静止画をズーム撮影させることができる。
【００９６】
ピンチ操作によるズーム操作は、標準カメラ１９０だけでなく広角カメラ１８０に対しても行うことができる。図１６は、表示画面２ａにおける、撮影中動画４１０を表示するメイン画面３５０に対して、ズーム操作としてのピンチ操作が行われる様子を示す図である。ユーザは、撮影中動画４１０を表示するメイン画面３５０に対してピンチ操作を行うことによって、広角カメラ１８０が撮影している動画の画角を変更することができる。これにより、動画がズーム撮影される。また、メイン画面３５０に広角スルー画像４００が表示されている場合には、ユーザは、広角スルー画像４００を表示するメイン画面３５０に対してピンチ操作を行うことによって、広角カメラ１８０のズーム操作を行うことができる。よって、ユーザは、動画撮影ボタン３３０を操作することによって、電子機器１の広角カメラ１８０に動画をズーム撮影させることができる。
【００９７】
なお、広角カメラ１８０及び標準カメラ１９０の両方が起動している場合に、メイン画面３５０に対してピンチ操作が行われると、広角カメラ１８０及び標準カメラ１９０のうち、当該メイン画面３５０に表示されている画像を撮影しているカメラのみがズームされ、他方のカメラはズームされずに、当該他方のカメラの撮影範囲は維持される。
【００９８】
以上のように、広角カメラ１８０で動画撮影中であっても、ユーザは、標準スルー画像５００が表示されるメイン画面３５０に対するピンチ操作によって標準カメラのズーム操作を行うことができる。つまり、ユーザは、広角カメラ１８０で動画撮影中であっても、標準カメラ１９０にズーム撮影させることができる。
【００９９】
＜第２変形例：静止画の自動撮影＞
本変形例では、広角カメラ１８０において動画を撮影中に、制御部１００が、第１条件が成立すると判定した場合には、標準カメラ１９０において静止画が自動撮影される。以後、標準カメラ１９０において静止画が自動撮影される第１条件を自動撮影条件と呼ぶことがある。
【０１００】
＜電子機器が所定場所に位置するときに自動撮影＞
自動撮影条件としては、例えば、電子機器１の位置が所定場所であるか否かという条件が採用される。以下では、このような自動撮影条件が採用される場合での電子機器１について説明する。
【０１０１】
図１７は、本変形例に係る電子機器１の電気的構成の一例を示すブロック図である。本変形例に係る電子機器１には、位置情報取得部２２０が設けられている。
【０１０２】
位置情報取得部２２０は、電子機器１の現在位置を取得することが可能である。位置情報取得部２２０は、例えば、ＧＰＳ(Global Positioning System)を利用した装置である。位置情報取得部２２０は、ＧＰＳ衛星からのＧＰＳ信号を受信し、当該ＧＰＳ信号に基づいて電子機器１の現在位置を示す位置情報を求めることが可能である。位置情報には、例えば、緯度情報と経度情報とが含まれている。
【０１０３】
図１８は、本変形例に係る電子機器１の動作の一例を示すフローチャートである。カメラアプリの実行中に動画撮影ボタン３３０が操作されると、ステップＳ３１において、制御部１００は、広角カメラ１８０での動画撮影を開始するとともに、標準カメラ１９０を起動する。そして、ステップＳ３２において、制御部１００は、撮影中動画４１０をメイン画面３５０に表示させる。
【０１０４】
ステップＳ３２の後、ステップＳ３３において、位置情報取得部２２０は、電子機器１の現在位置を示す位置情報を取得する。
【０１０５】
次に、ステップＳ３４において、制御部１００は、ステップＳ３３において取得された位置情報に基づいて、電子機器１が所定場所に位置するか否かを判定する。制御部１００は、電子機器１が所定場所に位置するか否かを判定する判定部として機能する。記憶部１０３内には、目的地となる場所の位置情報（以後、目的地情報と呼ぶことがある）が記憶される。制御部１００は、位置情報取得部２２０からの位置情報と目的地情報とを比較して、電子機器１の現在位置と目的地の位置とが所的距離以内である場合には、電子機器１が所定場所（目的地）に位置すると判定する。一方、制御部１００は、位置情報取得部２２０からの位置情報と目的地情報とを比較して、電子機器１の現在位置と目的地の位置とが所的距離より離れている場合には、電子機器１が所定場所に位置しないと判定する。
【０１０６】
ユーザは、電子機器１に対して目的地（所定場所）を指定することができる。記憶部１０３内には、例えば、地図を表示する地図アプリが記憶されている。ユーザが、表示画面２ａを操作して、電子機器１に地図アプリを実行させると、表示画面２ａに地図が表示される。ユーザは、表示画面２ａに表示される地図を操作することによって、電子機器１に対して目的地を指定することができる。電子機器１では、ユーザによって指定された目的地の位置情報（目的地情報）が生成されて記憶部１０３に記憶される。また、ユーザは、住所あるいは電話番号を電子機器１に入力することによって、目的地を電子機器１に指定することができる。電子機器１は、入力された住所あるいは電話番号に応じた目的地情報を生成して記憶部１０３に記憶する。また、ユーザは、記憶部１０３内に記憶されている、名所、お店、建物等の名前を表示画面２ａを利用して選択することによって、電子機器１に目的地を指定することができる。電子機器１は、選択された名前に応じた目的地情報を生成して記憶部１０３に記憶する。
【０１０７】
ステップＳ３４において、電子機器１が所定場所に位置しないと判定されると、ステップＳ３３が再度実行される。つまり、ステップＳ３４において、電子機器１が所定場所に位置すると判定されるまで、ステップＳ３３及びＳ３４が実行される。この一連の処理は、例えば、所定時間毎に実行される。
【０１０８】
一方、ステップＳ３４において、電子機器１が所定場所に位置すると判定されると、ステップＳ３５が実行される。ステップＳ３５において、制御部１００は、電子機器１の現在位置が所定場所であることを通知するための第１通知情報を表示パネル１２１に表示させる。制御部１００は、電子機器１の現在位置が所定場所であることを通知するための通知部として機能する。また、ステップＳ３５において、制御部１００は、標準カメラ１９０に静止画を撮影させる。
【０１０９】
図１９は、第１通知情報を表示する表示画面２ａの一例を示す図である。図１９の例では、第１通知情報として、「目的地付近です」という文字列３６０が表示されている。第１通知情報は、例えば、メイン画面３５０の撮影中動画４１０に重ねて表示される。
【０１１０】
このように、第１通知情報が表示画面２ａに表示されることから、ユーザは、電子機器１が所定場所に位置することを知ることができる。
【０１１１】
また、制御部１００は、広角カメラ１８０において動画を撮影中に、電子機器１が所定場所に位置すると判定したときに、標準カメラ１９０によって静止画を撮影することから、静止画を自動撮影することができる。
【０１１２】
なお、上記の例では、広角カメラ１８０において動画の撮影中に、標準カメラ１９０が起動していたが、電子機器１が所定場所に位置すると判定されたときに標準カメラ１９０を起動しても良い。これにより、電子機器１の消費電力を抑制することができる。
【０１１３】
＜標準カメラに所定対象物が映るときに自動撮影＞
自動撮影条件は、上記の例に限られない。例えば、自動撮影条件として、標準カメラ１９０に所定の対象物が映っているか否かという条件を採用しても良い。以下では、このような自動撮影条件が採用される場合での電子機器１の動作について説明する。図２０は、当該動作の一例を示すフローチャートである。
【０１１４】
カメラアプリの実行中に動画撮影ボタン３３０が操作されると、ステップＳ４１において、制御部１００は、広角カメラ１８０において動画の撮影を開始する。また、ステップＳ４１において、制御部１００は、標準カメラ１９０を起動して、標準スルー画像５００の撮影を開始する。
【０１１５】
ステップＳ４１において、広角カメラ１８０において動画の撮影が開始されると、ステップＳ４２において、制御部１００は、撮影中動画４１０をメイン画面３５０に表示させる。表示画面２ａには、図６で示されるような画面が表示される。
【０１１６】
次に、ステップＳ４３において、制御部１００は、標準カメラ１９０に所定対象物が映っているか否かを判定する。制御部１００は、標準カメラ１９０に所定対象物が映っているか否かを判定する判定部として機能する。例えば、制御部１００は、文字認識技術等によって標準スルー画像５００に所定の文字列（例えばお店の名前など）が映っているか否かを判定する。また、制御部１００は、画像認識技術によって、標準スルー画像５１０に所定の被写体（例えば、お店のマークなど）が映っているか否かを判定しても良い。所定対象物に関する情報、例えば、文字列、画像は、ユーザの入力操作などによって、記憶部１０３内に記憶される。
【０１１７】
ステップＳ４３において、標準カメラ１９０に所定対象物が映っていないと判定されると、ステップＳ４３が再度実行される。つまり、ステップＳ４３において、標準カメラ１９０に所定対象部が映っていると判定されるまで、ステップＳ４３が、例えば、所定時間毎に実行される。
【０１１８】
一方、ステップＳ４３において、標準カメラ１９０に所定対象物が映っていると判定されると、ステップＳ４４が実行される。ステップＳ４４において、制御部１００は、標準カメラ１９０に所定対象物が映っていることを通知するための第２通知情報を表示パネル１２１に表示させる。制御部１００は、標準カメラ１９０に所定対象物が映っていることを通知するための通知部として機能する。また、ステップＳ４４において、制御部１００は、標準カメラ１９０に静止画を撮影させる。
【０１１９】
図２１は、第２通知情報を表示する表示画面２ａの一例を示す図である。図２１の例では、文字列３７１が所定対象物と判定されて、第２通知情報として、マーカー３７０及びマーカー３９０が表示画面２ａに表示されている。マーカー３７０は、所定対象物を囲むように表示されており、所定対象物の位置を示している。マーカー３９０は、メイン画面３５０に表示される撮影中動画４１０における、標準撮影範囲に対応する領域（標準撮影範囲の被写体が映る領域）を示している。図２１では、標準カメラ１９０で自動撮影された撮影静止画５１０がサブ画面３１０に表示されている。
【０１２０】
なお、マーカー３７０，３９０は、表示画面２ａに表示される情報であって、カメラに写っている情報ではないことから、撮影中動画４１０に重ねて表示されているものの、撮影中動画４１０に含まれるわけではない。
【０１２１】
このように、第２通知情報が表示画面２ａに表示されることから、ユーザは、標準カメラ１９０に所定対象物が映っていることを知ることができる。また、マーカー３７０によって、ユーザは、所定対象物が撮影中動画４１０においてどこに写っているかを知ることができる。
【０１２２】
また、制御部１００は、広角カメラ１８０において動画を撮影中に、標準カメラ１９０に所定対象物が映っていると判定したときに、標準カメラ１９０によって静止画を撮影することから、静止画を自動撮影することができる。そして、表示画面２ａにはマーカー３９０が表示されることから、ユーザは自動撮影される静止画に映る被写体を確認することができる。
【０１２３】
また、静止画を自動撮影する標準カメラ１９０が撮影する標準スルー画像５００において、所定対象物が映っているか否かが判定されることから、所定対象物が映る静止画をより確実に得ることができる。
【０１２４】
なお、ステップＳ４３において、広角カメラ１８０が撮影する広角スルー画像４００における、標準撮影範囲と対応する領域（標準撮影範囲内の被写体が映る領域）に、所定対象物が映っているか否かが判定されても良い。この場合にも、所定対象物が映る静止画をより確実に得ることができる。
【０１２５】
また、広角カメラ１８０が撮影する広角スルー画像４００における、標準撮影範囲と対応する領域（標準撮影範囲内の被写体が映る領域）に、所定対象物が映っているか否かが判定される場合には、自動撮影が行われないとき標準カメラ１９０を停止しても良い。これにより、電子機器１の消費電力を抑制することができる。
【０１２６】
ステップＳ３５，Ｓ４４では、静止画が一枚だけ撮影されても良いし、複数枚連続して静止画が撮影されても良い。自動撮影条件が、電子機器１が所定場所に位置するという条件である場合には、標準カメラ１９０は、電子機器１が所定場所に位置したときに静止画を一枚だけ自動撮影しても良いし、電子機器１の位置が所定場所になってから、ある程度所定場所から離れるまで、静止画を例えば所定の時間毎に連続して撮影しても良い。また、自動撮影条件が、標準カメラ１９０に所定対象物が映るという条件である場合には、標準カメラ１９０は、標準スルー画像５１０に所定対象物が映ったときに一枚だけ静止画を撮影しても良いし、標準スルー画像５１０に所定対象物が映っている間、所定の時間毎に連続して静止画を撮影しても良い。
【０１２７】
複数枚の静止画が連続して自動撮影される場合には、自動撮影が開始してから終了するまでの間、表示画面２ａには、マーカー３７０及びマーカー３９０が表示される。これにより、ユーザは、複数枚の静止画が連続して自動撮影されていることを知ることができる。また、マーカー３９０によって、自動撮影で撮影される撮影範囲を知ることができる。
【０１２８】
複数枚連続して自動撮影される場合には、自動撮影の後、連続して自動撮影された複数枚の静止画のうち、保存する画像をユーザが選択できるようにしても良い。この場合には、複数枚連続して自動撮影された後には、例えば、図２２で示されるような画面が表示される。図２２は、連続して自動撮影された複数枚の静止画を表示する表示画面２ａの表示の一例を示す図である。図２２に示されるように、表示画面２ａには、自動撮影によって撮影された複数の撮影静止画５１０が表示されている。また、図２２の例では、「保存する画像を選択して下さい」という文字列３８０が表示されている。ユーザは、複数の撮影静止画の中から保存しておきたい撮影静止画をタップ操作などによって選択することができる。ユーザが選択した撮影静止画は不揮発性メモリ１０３ｂに記憶される。
【０１２９】
上記の例では、自動撮影条件が成立した場合に、自動撮影及びユーザ通知の両方が行われていたが、いずれか一方のみが行われても良い。
【０１３０】
上記の例では、自動撮影条件として、電子機器１が所定場所に位置するといる条件と、標準カメラ１９０に所定対象物が映るという条件とについて説明したが、自動撮影条件は上記の例に限られない。例えば、電子機器１が所定の場所に位置しており、かつ標準カメラ１９０に所定対象物が映るという条件でも良い。
【０１３１】
また、電子機器１が加速度センサを備えている場合には、加速度センサが検出する加速度が所定値以上となったときに、自動撮影を行っても良い。これにより、電子機器１が車に取り付けられている場合には、急ブレーキや急発進などを行ったとき、あるいは衝突したとき等に静止画が自動撮影される。このような電子機器１を車に取り付けることによって、当該電子機器１をドライブレコーダとして利用することができる。
【０１３２】
なお、自動撮影が行われていないときには、ユーザは、静止画撮影ボタン３２０を操作することによって電子機器１に静止画を撮影させることができる。
【０１３３】
＜第３変形例：撮影許可モードと撮影不可モードとの切り替え＞
本変形では、電子機器１は、動作モードとして、広角カメラ１８０において動画撮影中に標準カメラ１９０での静止画の撮影が可能である撮影許可モードと、広角カメラ１８０で動画撮影中に標準カメラ１９０で静止画の撮影がされない撮影不可モードとを備えている。
【０１３４】
また、広角カメラ１８０において動画を撮影中に、制御部１００が、第２条件が成立すると判定する場合には、電子機器１の動作モードが撮影許可モードに設定され、第２条件が成立しないと判定される場合には、電子機器1の動作モードが撮影不可モードに設定される。以後、第２条件を撮影許可条件と呼ぶことがある。
【０１３５】
撮影許可条件としては、例えば、電子機器１の位置が一定であるか否かという条件が採用される。以下では、このような撮影許可条件が採用される場合での電子機器１の動作について説明する。
【０１３６】
図２３は、当該動作の一例を示すフローチャートである。図２３に示されるように、カメラアプリの実行中に動画撮影ボタン３３０が操作されると、ステップＳ５１において、制御部１００は、広角カメラ１８０において動画撮影を開始する。また、ステップＳ５１において、制御部１００は、標準カメラ１９０を起動する。
【０１３７】
ステップＳ５１において、広角カメラ１８０において動画の撮影が開始されると、ステップＳ５２において、制御部１００は、撮影中動画４１０をメイン画面３５０に表示させる。表示画面２ａには、図６に示されるような表示画面２ａが表示される。
【０１３８】
ステップＳ５２の後、ステップＳ５３において、位置情報取得部２２０は、電子機器１の現在位置を示す位置情報を取得する。そして、ステップＳ５４において、制御部１００は、ステップＳ５３において取得された位置情報に基づいて、電子機器１の位置が一定であるか否かを判定する。制御部１００は、電子機器１の位置が一定であるか否かを判定する判定部として機能する。記憶部１０３内には、位置情報取得部２２０が所定時間毎に取得する位置情報が一定期間分記憶されている。制御部１００は、位置情報取得部２２０から位置情報が入力されたときに、記憶部１０３内の位置情報に基づいて、それ以前の一定期間での電子機器１の各位置が所定範囲内にあるか否かを判定する。そして、制御部１００は、一定期間での電子機器１の各位置が所定範囲内にある場合には、電子機器１の位置が一定であると判定する。一方、電子機器１の位置が一定期間にわたって所定範囲内にない場合には、電子機器１の位置が一定でないと判定する。
【０１３９】
ステップＳ５４において、電子機器１の位置が一定でないと判定されると、ステップＳ５６において、制御部１００は、電子機器１の動作モードを撮影不可モードに設定する。一方、ステップＳ５４において、電子機器１の位置が一定であると判定されると、ステップＳ５５において、制御部１００は、電子機器１の動作モードを撮影許可モードに設定する。また、ステップＳ５５において、制御部１００は、電子機器１の動作モードが撮影許可モードであることを通知するための第３通知情報を表示画面２ａに表示させる。
【０１４０】
図２４は、第３通知情報を表示する表示画面２ａの一例を示す図である。図２４の例では、第３通知情報として、標準撮影範囲を示すマーカー３９０が示されている。
【０１４１】
このように、電子機器１の動作モードが撮影許可モードである場合には、第３通知情報が表示画面２ａに表示されることから、ユーザは、電子機器１の動作モードが撮影許可モードであるか撮影不可モードであるかを容易に知ることができる。
【０１４２】
図２４では、広角カメラ１８０及び標準カメラ１９０のそれぞれのズーム倍率が１倍であるときの表示画面２ａを示している。標準カメラ１９０のズーム倍率が変化せず、広角カメラ１８０のズーム倍率が大きくなると、標準撮影範囲と広角撮影範囲との画角差が小さくなる。したがって、広角カメラ１８０のズーム倍率が大きくなるにつれて、表示画面２ａにおける、標準撮影範囲を示すマーカー３９０の位置がより外側になる。
【０１４３】
図２５は、標準カメラ１９０のズーム倍率が１倍であり、広角カメラ１８０のズーム倍率が１倍より大きい場合での、第３通知情報３９０を表示する表示画面２ａの一例を示す図である。図２５に示されるように、図２４に示される表示画面２ａと比較して、表示画面２ａにおけるマーカー３９０の位置が外側となっている。
【０１４４】
広角カメラ１８０のズーム倍率が大きい場合には、広角撮影範囲が標準撮影範囲より狭くなる場合がある。この場合には、標準撮影範囲は、表示画面２ａに表示される撮影中動画４１０の画角よりも広くなっているため、表示画面２ａにマーカー３９０を表示することができない。そこで、第３通知情報として標準撮影範囲を示すマーカー３９０が採用される場合には、広角撮影範囲が標準撮影範囲よりも狭くならないように、広角カメラ１８０のズーム倍率を制限しても良い。
【０１４５】
なお、制御部１００は、電子機器１の動作モードを撮影不可モードに設定する場合には、標準カメラ１９０を停止しても良い。これにより、広角カメラ１８０での動画撮影中に常に標準カメラ１９０が起動している場合と比較して、消費電流を低減することができる。
【０１４６】
以上のように、広角カメラ１８０において動画撮影中に、制御部１００が、撮影許可条件が成立しないと判定するとき、電子機器１の動作モードが、撮影不可モードに設定される。これにより、広角カメラ１８０において動画撮影中には標準カメラ１９０で静止画が撮影されないことから、電子機器１の消費電流を低減することができる。
【０１４７】
また、本例では、制御部１００が、電子機器１の位置が一定であると判定しない場合に、電子機器１の動作モードが撮影不可モードとなる。これにより、電子機器１を持つユーザが、動きながら、電子機器１に対して静止画撮影指示（例えば表示画面２ａに対する所定の操作）を入力することを抑制することができる。また、電子機器１が、ユーザが運転する乗り物などに取り付けられている場合には、乗り物を運転するユーザが、運転しながら、電子機器１に対して静止画撮影指示を入力することを抑制することがきる。
【０１４８】
また、電子機器１の動作モードが撮影許可モードである場合に、第３通知情報が表示画面２ａに表示されることから、ユーザは、電子機器１の動作モードが撮影許可モードであるか撮影不可モードであるかを容易に知ることができる。
【０１４９】
＜その他の変形例＞
上記の各例では、広角カメラ１８０及び標準カメラ１９０は、同一の電子機器に搭載されていたが、別々の電子機器に搭載されても良い。例えば、標準カメラ１９０が上記の電子機器１（携帯電話機）に搭載され、広角カメラ１８０がドライブレコーダに搭載されても良い。この場合には、電子機器１とドライブレコーダが、互いに通信可能に構成される。また、広角カメラ１８０及び標準カメラ１９０のそれぞれのズーム倍率が一倍である状態において、広角撮影範囲が標準撮影範囲を含むように、電子機器１及びドライブレコーダが車の室内に搭載される。そして、ドライブレコーダに搭載された広角カメラ１８０が、車の進行方向の映像を動画撮影している場合に、電子機器１に搭載された標準カメラ１９０が車の進行方向の映像を静止画撮影する。ドライブレコーダの広角カメラ１８０での広角スルー画像４００及び撮影中動画４１０を電子機器１に無線あるいは有線で送信することによって、電子機器１は、上記と同様にして、上述の図５，６等の画面を表示することが可能となる。そして、電子機器１が、ユーザからの指示等に応じて、ドライブレコーダの広角カメラ１８０を制御することによって、上記と同様にして、広角カメラ１８０での動画の開始及び終了が制御されたり、広角撮影範囲が制御されたりする。
【０１５０】
また、上記の各例では、動画の撮影は広角カメラ１８０によって行われているが、標準カメラ１９０で動画の撮影を行っても良い。例えば、スルー画像を表示する表示画面２ａに、動画撮影を行うカメラを切り替えるためのカメラ切替ボタンが表示されており、ユーザはカメラ切替ボタンを操作することによって、電子機器１に、動画撮影を行うカメラを、広角カメラ１８０と標準カメラ１９０とで切り替えさせることができる。
【０１５１】
また、標準カメラ１９０を、動画を撮影するためのカメラとする場合には、広角カメラ１８０を、静止画を撮影するためのカメラとしても良い。この場合、標準カメラ１９０において動画を撮影中に、広角カメラ１８０によって静止画を撮影することができる。
【０１５２】
また、第１カメラ１８０は、第２カメラ１９０よりも広角に撮影できるカメラであったが、第２カメラ１９０が、第１カメラ１８０よりも広角に撮影できるカメラであっても良い。また、第１カメラ１８０の画角と第２カメラ１９０の画角とは同じであっても良い。
【０１５３】
また、上記の各例では、本開示の技術をスマートフォン等の携帯電話機に適用する場合を例にあげて説明したが、本開示の技術は、複数のカメラを備える他の電子機器にも適用することができる。例えば、本開示の技術は、デジタルカメラ、パーソナルコンピュータあるいはタブレット端末等の電子機器にも適用することができる。
【０１５４】
以上のように、電子機器１は詳細に説明されたが、上記した説明は、全ての局面において例示であって、この開示がそれに限定されるものではない。また、上述した各種変形例は、相互に矛盾しない限り組み合わせて適用可能である。そして、例示されていない無数の変形例が、この開示の範囲から外れることなく想定され得るものと解される。
【符号の説明】
【０１５５】
１  電子機器
２ａ  表示画面
１００  制御部
１２０  表示部
１３０  タッチパネル
１８０  第１カメラ
１９０  第２カメラ
２２０  位置情報取得部
４００  広角スルー画像
４１０  撮影中動画
５００  標準スルー画像
５１０  撮影静止画
【図１】
0006266577.tif 000002
【図２】
0006266577.tif 000003
【図３】
0006266577.tif 000004
【図４】
0006266577.tif 000005
【図５】
0006266577.tif 000006
【図６】
0006266577.tif 000007
【図７】
0006266577.tif 000008
【図８】
0006266577.tif 000009
【図９】
0006266577.tif 000010
【図１０】
0006266577.tif 000011
【図１１】
0006266577.tif 000012
【図１２】
0006266577.tif 000013
【図１３】
0006266577.tif 000014
【図１４】
0006266577.tif 000015
【図１５】
0006266577.tif 000016
【図１６】
0006266577.tif 000017
【図１７】
0006266577.tif 000018
【図１８】
0006266577.tif 000019
【図１９】
0006266577.tif 000020
【図２０】
0006266577.tif 000021
【図２１】
0006266577.tif 000022
【図２２】
0006266577.tif 000023
【図２３】
0006266577.tif 000024
【図２４】
0006266577.tif 000025
【図２５】
0006266577.tif 000026